(57)【要約】【課題】運搬・搬入時や収納時に折り畳むことによってコンパクトにすることができ、しかも良好な寝心地が得られる折り畳み式スプリングマットレスを提供する。【解決手段】スプリングユニット４を内蔵したマットレス構成体２を複数個連結して当該連結部７において折り畳み可能なスプリングマットレス１を構成する。そして、当該マットレスをひろげた状態でその下面となる側においては、前記各マットレス構成体２におけるスプリングユニット４の周縁部の全周にわたって保形用の金属製の枠線８２を設ける。また、当該マットレスをひろげた状態でその上面となる側においては、各マットレス構成体２におけるスプリングユニット４の周縁部のうち、隣接するマットレス構成体との連結部側７を除いた縁部に保形用の金属製の枠線８１を設け、当該連結部７側の縁部には、この縁部に沿って配置されているコイルスプリング３を連結するヘリカルスプリング８１を設ける。【選択図】図２
2010253197.tif 000002
【特許請求の範囲】
【請求項１】
複数のコイルスプリングをその圧縮方向と直交する面に沿って縦横に並設してなるスプリングユニットと、このスプリングユニットの表面全体を被覆する外装体とを具備してなるマットレス構成体を有し、このマットレス構成体を複数個連結して当該連結部において折り畳み可能とした折り畳み式スプリングマットレスであって、
当該マットレスをひろげた状態でその下面となる側においては、前記各マットレス構成体におけるスプリングユニットの周縁部に沿って配置されているコイルスプリングに連結されて当該マットレスの外形形状を保つ金属製の枠線が当該周縁部の全周にわたって設けられている一方、
当該マットレスをひろげた状態でその上面となる側においては、前記各マットレス構成体におけるスプリングユニットの周縁部のうち、隣接するマットレス構成体との連結部側を除いた縁部に、この縁部に沿って配置されているコイルスプリングに連結されて当該マットレスの外形形状を保つ金属製の枠線が設けられており、前記連結部側の縁部には、この縁部に沿って配置されているコイルスプリングを連結するヘリカルスプリングが設けられていることを特徴とする折り畳み式スプリングマットレス。
【発明の詳細な説明】
【技術分野】
【０００１】
本発明は折り畳み式スプリングマットレス、すなわちスプリングを内蔵した折り畳み可能なマットレスの構造に関する。
【背景技術】
【０００２】
例えば、鼓状のコイルスプリングをその圧縮方向と直交する面に沿って縦横に多数並設し、これらを螺旋状の針金からなるヘリカルスプリング（ヘリカル線）で連結してスプリングユニットとし、その表面全体を布等の外装体で被覆した構成のボンネルコイルマットレスにおいては、周縁部に位置するコイルスプリングを補強するとともに全体の外形形状を維持する手段として、上面側および下面側の周縁部に沿って所定の剛性を有する金属製の枠線がそれぞれ設けられる。
【０００３】
一方、スプリングマットレスにはシングルサイズやダブルサイズなど種々のサイズのものがあるが、最も小さいシングルサイズのマットレスの場合でも、当然ながら、大人一人が寝られる程度の大きさは有している。このため、例えばマンション等の部屋にマットレスを搬入する際に、そのままでは入り口からの搬入作業が困難となったり、サイズによっては不可能であったりする場合がある。この場合、マットレスを折り畳むことができれば搬入作業を容易化することができるが、ボンネルコイルマットレスなどでは、上述した保形用の金属製の枠線が周縁部に設けられていることから、そのままでは折り畳むことができない。
【０００４】
上記のような保形用の枠線が設けられているもので折り畳み可能とされたスプリングマットレスとしては、例えば特許文献１に記載されたようなものが知られている。これは、マットレス全体を第１〜第３の小マットレスで構成して３つに折り畳めるようにしたものである。このマットレスにおける各小マットレスは、多数のコイルスプリングを平板状に連結してその上下面周縁部に枠線を設けてなるスプリングユニットと、このスプリングユニットの上下面に重合されたウレタンフォ−ム等の詰め物と、この詰め物とスプリングユニットとの重合体を被覆した外装体とで構成されている。そして、第１および第２の小マットレスをこれらの上面側に設けられる上側鏡体で連結し、第２および第３の小マットレスをこれらの下面側に設けられる下側鏡体で連結して、第１の小マットレスと第２の小マットレスとの境界部分および第２の小マットレスと第３の小マットレスとの境界部分でそれぞれ折り畳み可能としたものである。これによれば、内部にスプリングおよび保形用の枠線を備えた構造であるにもかかわらず３つに折り畳むことができるので、折り畳みによるマットレス全体のコンパクト化、したがって搬入作業の容易化等をも実現することができる。
【先行技術文献】
【特許文献】
【０００５】
【特許文献１】実用新案登録第２５５３７４８号公報（段落番号０００９〜００１２、図１〜図３）
【発明の概要】
【発明が解決しようとする課題】
【０００６】
しかしながら、上記特許文献１記載のマットレスにおいては、各小マットレスを構成するスプリングユニットの上下面周縁部に枠線をそれぞれ設けた構造、言い換えれば各スプリングユニットの上面およひ下面の周囲に沿うように枠状の金属線材をそれぞれ設けた構造となっているため、隣接する小マットレスとの境界部分に沿って枠線の一部分が位置することとなる。その結果、マットレス上に横臥した際に当該枠線部分の存在が感得されてごつごつした感じを与える、つまり寝心地が悪くなるという問題が生じることとなる。
【０００７】
本発明は、上記のような事情に鑑みてなされたもので、運搬・搬入時や収納時に折り畳むことによってコンパクトにすることができ、しかも良好な寝心地が得られる折り畳み式スプリングマットレスを提供することを目的とする。
【課題を解決するための手段】
【０００８】
上記の目的を達成するため、本発明は、複数のコイルスプリングをその圧縮方向と直交する面に沿って縦横に並設してなるスプリングユニットと、このスプリングユニットの表面全体を被覆する外装体とを具備してなるマットレス構成体を有し、このマットレス構成体を複数個連結して当該連結部において折り畳み可能とした折り畳み式スプリングマットレスにおいて、次のように構成したことを特徴とする。
【０００９】
すなわち、当該マットレスをひろげた状態でその下面となる側においては、前記各マットレス構成体におけるスプリングユニットの周縁部に沿って配置されているコイルスプリングに連結されて当該マットレスの外形形状を保つ金属製の枠線を当該周縁部の全周にわたって設ける。一方、当該マットレスをひろげた状態でその上面となる側においては、各マットレス構成体におけるスプリングユニットの上面および下面の周縁部のうち、隣接するマットレス構成体との連結部側を除いた縁部に、この縁部に沿って配置されているコイルスプリングに連結されて当該マットレスの外形形状を保つ金属製の枠線を設ける。そして、前記連結部側の縁部には、この縁部に沿って配置されているコイルスプリングを連結するヘリカルスプリングを設ける。これらの金属製の枠線およびヘリカルスプリングは、いずれもスプリングユニットの上面側と下面側にそれぞれ設ける。
【発明の効果】
【００１０】
本発明の折り畳み式スプリングマットレスは、スプリングユニット等を具備してなるマットレス構成体が複数個連結されていることにより構成され、当該連結部において折り畳み可能とされているので、運搬・搬入時や収納時には当該連結部で折り畳むことによってコンパクトにすることができる。したがって、マンション等への搬入作業も容易化できる。
【００１１】
本発明の折り畳み式スプリングマットレスは、上記の連結されたマットレス構成体を折り畳み状態からひろげて一枚の所定形状のスプリングマットレスとした状態で使用される。その場合、このスプリングマットレスをひろげた状態でその下面となる側においては、前記各マットレス構成体におけるスプリングユニットの周縁部の全周にわたって金属製の枠線が設けられており、これらが当該周縁部に沿って配置されているコイルスプリングに連結されていることにより、これらのコイルスプリングが補強されるとともに、当該スプリングマットレスの下面側における外形形状が維持されることとなる。
【００１２】
このとき、スプリングマットレスの上面側において、隣接するマットレス構成体の境界部分に金属製の枠線が位置していると、マットレス上に横臥したときに所定の剛性を有する枠線の存在が感得されて寝心地が損なわれてしまうことになる。しかし、本発明のマットレスにおいては、各マットレス構成体の連結部側の縁部に、金属製の枠線ではなく、この縁部に沿って配置されているコイルスプリングを連結するヘリカルスプリングが設けられているにすぎないので、コイルスプリングによって支持されている通常部分と同様のクッション感が得られる。したがって、保形用の枠線がマットレス構成体の連結部に存在する場合のように寝心地が損なわれるということもない。
【００１３】
このように、本発明によれば、運搬・搬入時や収納時に折り畳むことによってコンパクトにすることができ、しかも良好な寝心地が得られる折り畳み式スプリングマットレスを実現することができる。
【図面の簡単な説明】
【００１４】
【図１】本発明の実施例に係る折り畳み式スプリングマットレスを示す斜視図である。
【図２】上記スプリングマットレスの一部をきり欠いた状態で示す平面図である。
【図３】上記スプリングマットレスにおけるスプリングユニットのみを示す分解斜視図である。
【図４】上記スプリングマットレスにおけるマットレス構成体の連結部（マットレス全長方向の中央部分）の周辺の内部構造を示すためにその一部をきり欠いた状態で示す部分拡大平面図である。
【図５】図２のＶ−Ｖ線で切断して矢印方向に見た断面図である。
【図６】図２のＶＩ−ＶＩ線で切断して矢印方向に見た断面図である。
【発明を実施するための形態】
【００１５】
スプリングマットレスには、主として、ボンネルコイルマットレスとポケットコイルマットレスとがある。前者においては、スプリングユニットを構成する各コイルスプリングが、当該マットレスの幅方向に延びるラセン状の比較的細い針金からなるヘリカルスプリング（ヘリカル線）によって所定の状態に連結されており、スプリングユニットの面全体で体（荷重）を支えるようになっている。後者においては、各コイルスプリングが一つずつ袋状の不織布等によって包まれて独立しており、荷重のかかったところだけ沈みこむようになっている。本発明は、これらのいずれのタイプにも適用できるが、上記のようなヘリカルスプリングをマットレス構成体の連結部側の縁部にも使用するという点で、構造的にはポケットコイル型よりもボンネルコイル型の方が適している。
【００１６】
ボンネルコイルマットレスに適用する場合には、各マットレス構成体においてスプリングユニットを形成すべきコイルスプリング集合体の上面側および下面側に、当該マットレスの幅方向に延びるラセン状の比較的細い針金からなる複数のヘリカルスプリングを設ける。そして、これらのヘリカルスプリングによって、それぞれ、当該マットレスの幅方向において同列上に位置するコイルスプリングを連結するとともに、これと直交するマットレス全長方向において隣接する列のコイルスプリングどうしを連結してスプリングユニットを形成し、このスプリングユニットを用いて本発明における各マットレス構成体を形成する。
【００１７】
各マットレス構成体における金属製の枠線としては、直径３〜６ｍｍのものを使用することができ、またヘリカルスプリングとしては、直径１〜３ｍｍの針金を使用することができる。
【００１８】
本発明のスプリングマットレスを構成するマットレス構成体の個数としては、２個ないし３個が適当であるが、４個以上とすることも可能である。マットレス構成体を連結する方向（マットレス構成体の並設方向）は、マットレスの全長方向および幅方向のいずれも可能であるが、通常は長手方向となるマットレス全長方向に連結する構成とした方が全体サイズをコンパクト化することができるので望ましい。ただし、幅方向の寸法が比較的大きいマットレスの場合には、幅方向にマットレス構成体を連結する構成としてもよい。
【００１９】
マットレス構成体の連結部の構造については、連結側となるべき部分の上面側または下面側のいずれか一方の側の縁部のみを外装体等を介して折り畳み可能に接続し、他方の側の縁部を分離させた構造とすることができる。また、連結側となるべき部分の上面側または下面側のいずれか一方の側の縁部において、隣接するマットレス構成体における外装体（下記の詰め物と一体化されていてもよい）を逢着した構造とすることもできる。
【００２０】
スプリングユニットの表面全体を被覆する外装体としては、例えば、ウレタンフォームの表面側を織物等で覆った積層体を使用することができる。また、スプリングユニットと外装体との間には詰め物を配置することができる。この種の詰め物としては、ウレタンフォームのほか植物繊維、例えば綿、不織布、麻布、椰子の実の繊維を用いることができ、さらには羊毛や羽毛などの動物性繊維も使用できる。
【実施例１】
【００２１】
図１〜図６に本発明の一実施例に係る折り畳み式スプリングマットレスを示す。この折り畳み式スプリングマットレス１は、図１および図２に示すように、当該マットレス１の全長方向（図２において上下方向）におけるサイズが当該マットレス全体の半分である２つの直方体状のマットレス構成体２・２で構成されており、これらのマットレス構成体２・２をその対応する一側部で折り畳み可能に連結した構造とされている。
【００２２】
各マットレス構成体２は、図２〜図４に示すように、複数の鼓状のコイルスプリング３をその圧縮方向と直交する面に沿って縦横に並設してなるスプリングユニット４を有する。各スプリングユニット４の上面側および下面側には、当該マットレスの幅方向（図２において左右方向）に延びるラセン状の比較的細い針金（本実施例では直径１．５ｍｍの針金）からなる複数のヘリカルスプリング５が設けられており、これらのヘリカルスプリング５によって、それぞれ、当該マットレス１の幅方向において同列上に位置するコイルスプリング３が連結されているとともに、これと直交するマットレス全長方向において隣接する列のコイルスプリング３どうしが連結されている。
【００２３】
各スプリングユニット４は、図２および図４〜図６に示すように、その表面全体が外装体（この例ではウレタンフォームの表面側を布で覆った積層体）６によって被覆されている。外装体６は、両マットレス構成体２・２をひろげて一枚の所定のスプリングマットレス１とした状態において、両マットレス構成体２・２のスプリングユニット４・４の上面側を連続して被覆する第１被覆部分６ａと、各スプリングユニット４の４つの側面（つまり周面）と下面側を各マットレス構成体２・２ごとに独立して被覆する各第２被覆部分６ｂとからなる。そして、図５および図６に示すように、両マットレス構成体２・２の上面側の周縁部において第１被覆部分６ａと各第２被覆部分６ｂとが逢着されていることにより、両マットレス構成体２・２の上面側の境界部分、すなわち両マットレス構成体２・２の連結部７で、両マットレス構成体２・２を折り畳めるようになっている（図１参照）。
【００２４】
上記の構成に加えて、このスプリングマットレス１においては、図２〜図４および図６に示したように、両マットレス構成体２・２をひろげた状態において各マットレス構成体２におけるスプリングユニット４の上面側および下面側に金属製の枠線（本実施例では直径５ｍｍの鉄線）８１・８２がそれぞれ設けられている。このうち、下面側の金属製の枠線８２は、スプリングユニット４の下面側の周縁部の全周にわたって設けられており、当該下面側の周縁部に沿って配置されているコイルスプリング３の下端側に複数の連結金具９を用いて連結されている。一方、上面側の金属製の枠線８１は、スプリングユニット４の上面側の周縁部のうち、隣接するマットレス構成体２との連結部７側を除いた縁部（便宜上、「非連結縁部」という。）４ａに沿って設けられており、前記非連結縁部４ａに沿って配置されているコイルスプリング３の上端側に複数の連結金具９を用いて連結されている。
【００２５】
また、両マットレス構成体２をひろげた状態において、各マットレス構成体２におけるスプリングユニット４の上面側に位置する連結部７側の縁部（「連結縁部」という。）４ｂには、図２〜図４および図５に示したように、この連結縁部４ｂに沿って配置されているコイルスプリング３の上端側を連結するヘリカルスプリング１０がそれぞれ設けられている。各ヘリカルスプリング１０は、各スプリングユニット４におけるコイルスプリング３の連結に使用されている上述のヘリカルスプリング５と同様のものである。
【００２６】
上記のように構成された折り畳み式スプリングマットレス１によれば、図１に実線で示したように両マットレス構成体２・２をその連結部７で折り畳むことによって運搬・搬入時や収納時におけるサイズをコンパクトにすることができるので、その分だけマンション等への搬入作業も容易になる。
【００２７】
折り畳まれたスプリングマットレス１は、設置後に両マットレス構成体２・２を上記の折り畳み状態から図１に鎖線で示したようにひろげることによって一枚の直方体状のスプリングマットレスとすることができる。この場合、図２に示したように、各マットレス構成体２におけるスプリングユニット４の上面側においては、隣接するマットレス構成体２との連結部７側を除いた縁部（非連結縁部）４ａに設けた金属製の枠線８１が、当該ひろげた状態のスプリングマットレス１の周縁部の全周にわたって位置することとなる。また、各マットレス構成体２におけるスプリングユニット４の下面側においては、各マットレス構成体２の全周にわたって金属製の枠線８２が位置することとなる。したがって、これらの枠線８１・８２により、このスプリングマットレス１の外形形状を維持することができる。
【００２８】
上記のようにして両マットレス構成体２・２をひろげて一枚の直方体状のスプリングマットレス１とした状態においては、その全長方向の中間部分に両マットレス構成体２・２の連結部７が位置することとなるため、この部分に金属製の枠線８があるとマットレス上に横臥したときに当該枠線８の存在が感得されて寝心地が損なわれてしまうことになる。しかしながら、上記のスプリングマットレス１においては、各マットレス構成体２の上面側における連結部７側の縁部（連結縁部）４ｂに、金属製の枠線８１ではなく、スプリングユニット４を形成しているコイルスプリング３の連結手段として使用されているヘリカルスプリング１０が設けられているので、マットレス構成体２の例えば中央部分等と同様のクッション感が得られる。これにより、両マットレス構成体２・２の連結部７に保形用の枠線８１が存在する場合に生じる上述したような問題を回避することができ、通常の一枚物のスプリングマットレスと同様の良好な寝心地・使用感が得られることとなる。
【符号の説明】
【００２９】
１  折り畳み式スプリングマットレス
２  マットレス構成体
３  コイルスプリング
４  スプリングユニット
６  外装体
７  連結部
１０  ヘリカルスプリング
８１・８２  金属製の枠線
【図１】
2010253197.tif 000003
【図２】
2010253197.tif 000004
【図３】
2010253197.tif 000005
【図４】
2010253197.tif 000006
【図５】
2010253197.tif 000007
【図６】
2010253197.tif 000008